(57)【要約】【課題】レンズ枚数が少なく軽量であり、諸収差を良好に補正して優れた光学性能を達成できるズームレンズ系及びこれを備えた電子撮像装置を得る。【解決手段】物体側から順に、正の第１レンズ群、負の第２レンズ群、正の第３レンズ群、及び正の第４レンズ群からなり、ワイド端からテレ端への変倍に際し、第１レンズ群と第２レンズ群の間隔が増加し、第２レンズ群と第３レンズ群の間隔が減少するように、少なくとも第２レンズ群と第３レンズ群が移動し、第４レンズ群は、物体側から順に、物体側に凸面を向けた正レンズ、物体側から順に位置する物体側に凸面を向けた正レンズと像側に凹面を向けた負レンズの接合レンズ、両凸正レンズ、及び像側に凸の負メニスカスレンズの５枚からなり、次の条件式（１）を満足するズームレンズ系。（１）１．６＜ｆ１／ｆ４＜３．０但し、ｆ１：第１レンズ群の焦点距離、ｆ４：第４レンズ群の焦点距離。【選択図】  図１
2013210605.tif 000002
【特許請求の範囲】
【請求項１】
物体側から順に、正の屈折力の第１レンズ群、負の屈折力の第２レンズ群、正の屈折力の第３レンズ群、及び正の屈折力の第４レンズ群からなり、短焦点距離端から長焦点距離端への変倍に際し、第１レンズ群と第２レンズ群の間隔が増加し、第２レンズ群と第３レンズ群の間隔が減少するように、少なくとも第２レンズ群と第３レンズ群が移動するズームレンズ系において、
第４レンズ群を、物体側から順に、物体側に凸面を向けた正レンズ、物体側から順に位置する物体側に凸面を向けた正レンズと像側に凹面を向けた負レンズの接合レンズ、両凸正レンズ、及び像側に凸の負メニスカスレンズの５枚のレンズで構成したこと、及び
次の条件式（１）を満足することを特徴とするズームレンズ系。
（１）１．６＜ｆ１／ｆ４＜３．０
但し、
ｆ１：第１レンズ群の焦点距離、
ｆ４：第４レンズ群の焦点距離。
【請求項２】
物体側から順に、正の屈折力の第１レンズ群、負の屈折力の第２レンズ群、正の屈折力の第３レンズ群、及び正の屈折力の第４レンズ群からなり、短焦点距離端から長焦点距離端への変倍に際し、第１レンズ群が像面に対して固定されており、第２レンズ群と第３レンズ群が移動するズームレンズ系において、
第１レンズ群は、少なくとも１枚の負レンズを有しており、次の条件式（８）を満足することを特徴とするズームレンズ系。
（８）νｄ１ｎ＜２２．８５
但し、
νｄ１ｎ：第１レンズ群中の最も物体側に位置する負レンズのｄ線に対するアッベ数。
【請求項３】
請求項２記載のズームレンズ系において、次の条件式（１）を満足するズームレンズ系。
（１）１．６＜ｆ１／ｆ４＜３．０
但し、
ｆ１：第１レンズ群の焦点距離、
ｆ４：第４レンズ群の焦点距離。
【請求項４】
請求項１ないし３のいずれか１項記載のズームレンズ系において、次の条件式（２）を満足するズームレンズ系。
（２）−８．０＜ｆ３／ｆ２＜−３．０
但し、
ｆ２：第２レンズ群の焦点距離、
ｆ３：第３レンズ群の焦点距離。
【請求項５】
請求項１ないし４のいずれか１項記載のズームレンズ系において、次の条件式（３）を満足するズームレンズ系。
（３）１．４＜ｆ３／ｆ４＜５．０
但し、
ｆ３：第３レンズ群の焦点距離、
ｆ４：第４レンズ群の焦点距離。
【請求項６】
物体側から順に、正の屈折力の第１レンズ群、負の屈折力の第２レンズ群、正の屈折力の第３レンズ群、及び正の屈折力の第４レンズ群からなり、短焦点距離端から長焦点距離端への変倍に際し、第１レンズ群と第２レンズ群の間隔が増加し、第２レンズ群と第３レンズ群の間隔が減少するように、少なくとも第２レンズ群と第３レンズ群が移動するズームレンズ系において、
次の条件式（１）及び（２）を満足することを特徴とするズームレンズ系。
（１）１．６＜ｆ１／ｆ４＜３．０
（２）−８．０＜ｆ３／ｆ２＜−３．０
但し、
ｆ１：第１レンズ群の焦点距離、
ｆ２：第２レンズ群の焦点距離、
ｆ３：第３レンズ群の焦点距離、
ｆ４：第４レンズ群の焦点距離。
【請求項７】
請求項６記載のズームレンズ系において、次の条件式（３）を満足するズームレンズ系。
（３）１．４＜ｆ３／ｆ４＜５．０
但し、
ｆ３：第３レンズ群の焦点距離、
ｆ４：第４レンズ群の焦点距離。
【請求項８】
物体側から順に、正の屈折力の第１レンズ群、負の屈折力の第２レンズ群、正の屈折力の第３レンズ群、及び正の屈折力の第４レンズ群からなり、短焦点距離端から長焦点距離端への変倍に際し、第１レンズ群と第２レンズ群の間隔が増加し、第２レンズ群と第３レンズ群の間隔が減少するように、少なくとも第２レンズ群と第３レンズ群が移動するズームレンズ系において、
次の条件式（１）及び（３）を満足することを特徴とするズームレンズ系。
（１）１．６＜ｆ１／ｆ４＜３．０
（３）１．４＜ｆ３／ｆ４＜５．０
但し、
ｆ１：第１レンズ群の焦点距離、
ｆ３：第３レンズ群の焦点距離、
ｆ４：第４レンズ群の焦点距離。
【請求項９】
請求項１ないし８のいずれか１項記載のズームレンズ系において、第１レンズ群は、物体側から順に、フォーカシング時に不動の正の屈折力の第１Ａレンズ群、及びフォーカシング時に移動するフォーカスレンズ群である正の屈折力の第１Ｂレンズ群からなるズームレンズ系。
【請求項１０】
請求項１ないし９のいずれか１項記載のズームレンズ系において、次の条件式（４）を満足するズームレンズ系。
（４）−０．７＜ｆ２／ｆ４＜−０．３５
但し、
ｆ２：第２レンズ群の焦点距離、
ｆ４：第４レンズ群の焦点距離。
【請求項１１】
請求項１記載のズームレンズ系において、次の条件式（５）を満足するズームレンズ系。
（５）８０＜νｄ４ｐ
但し、
νｄ４ｐ：第４レンズ群中のいずれかの正レンズのｄ線に対するアッベ数。
【請求項１２】
請求項１または１１記載のズームレンズ系において、次の条件式（６）を満足するズームレンズ系。
（６）１．５６＜Ｎｄ４ｐ
但し、
Ｎｄ４ｐ：第４レンズ群中の最も物体側に位置する正レンズのｄ線に対する屈折率。
【請求項１３】
請求項１、１１または１２記載のズームレンズ系において、次の条件式（７）を満足するズームレンズ系。
（７）１．７０＜Ｎｄ４ｎ
但し、
Ｎｄ４ｎ：第４レンズ群中の最も像側に位置する負メニスカスレンズのｄ線に対する屈折率。
【請求項１４】
請求項１ないし１３のいずれか１項記載のズームレンズ系において、短焦点距離端から長焦点距離端への変倍に際し、第１レンズ群と第４レンズ群は像面に対して固定されているズームレンズ系。
【請求項１５】
請求項１ないし１４のいずれか１項記載のズームレンズ系と、このズームレンズ系によって形成される像を電気的信号に変換する撮像素子とを備えたことを特徴とする電子撮像装置。
【発明の詳細な説明】
【技術分野】
【０００１】
本発明は、ズームレンズ系及びこれを備えた電子撮像装置に関する。
【背景技術】
【０００２】
近年、デジタルカメラ等の電子撮像装置に用いられるズームレンズ系には、より小型で高性能であることが要求されており、この要求に応えるために開発が進められている。
【０００３】
特許文献１−３には、物体側から順に、正の屈折力の第１レンズ群、負の屈折力の第２レンズ群、正の屈折力の第３レンズ群、及び正の屈折力の第４レンズ群からなる４群ズームレンズ系が開示されている。
【０００４】
しかし特許文献１−３のいずれのズームレンズ系も、レンズ全系（特に第４レンズ群）に使用するレンズ枚数が多すぎて、軽量化が不十分である。また、第１レンズ群ないし第４レンズ群のパワーバランス（特に第１レンズ群と第４レンズ群とのパワーバランス、第２レンズ群と第３レンズ群のパワーバランス、第３レンズ群と第４レンズ群のパワーバランス）が不適切であるため、像面湾曲、非点収差、歪曲収差、球面収差、コマ収差などの諸収差を補正しきれず、光学性能が劣化してしまう。
【先行技術文献】
【特許文献】
【０００５】
【特許文献１】特開平６−５１２０２号公報
【特許文献２】特開２００２−１６２５６４号公報
【特許文献３】特開２００９−２８８６１９号公報
【発明の概要】
【発明が解決しようとする課題】
【０００６】
本発明は以上の問題意識に基づいてなされたものであり、レンズ枚数が少なく軽量であり、像面湾曲、非点収差、歪曲収差、球面収差、コマ収差などの諸収差を良好に補正して優れた光学性能を達成できるズームレンズ系及びこれを備えた電子撮像装置を得ることを目的とする。
【課題を解決するための手段】
【０００７】
本発明のズームレンズ系は、第１の態様では、物体側から順に、正の屈折力の第１レンズ群、負の屈折力の第２レンズ群、正の屈折力の第３レンズ群、及び正の屈折力の第４レンズ群からなり、短焦点距離端から長焦点距離端への変倍に際し、第１レンズ群と第２レンズ群の間隔が増加し、第２レンズ群と第３レンズ群の間隔が減少するように、少なくとも第２レンズ群と第３レンズ群が移動するズームレンズ系において、第４レンズ群を、物体側から順に、物体側に凸面を向けた正レンズ、物体側から順に位置する物体側に凸面を向けた正レンズと像側に凹面を向けた負レンズの接合レンズ、両凸正レンズ、及び像側に凸の負メニスカスレンズの５枚のレンズで構成したこと、及び次の条件式（１）を満足することを特徴としている。
（１）１．６＜ｆ１／ｆ４＜３．０
但し、
ｆ１：第１レンズ群の焦点距離、
ｆ４：第４レンズ群の焦点距離、
である。
【０００８】
本発明のズームレンズ系は、第２の態様では、物体側から順に、正の屈折力の第１レンズ群、負の屈折力の第２レンズ群、正の屈折力の第３レンズ群、及び正の屈折力の第４レンズ群からなり、短焦点距離端から長焦点距離端への変倍に際し、第１レンズ群が像面に対して固定されており、第２レンズ群と第３レンズ群が移動するズームレンズ系において、第１レンズ群は、少なくとも１枚の負レンズを有しており、次の条件式（８）を満足することを特徴としている。
（８）νｄ１ｎ＜２２．８５
但し、
νｄ１ｎ：第１レンズ群中の最も物体側に位置する負レンズのｄ線に対するアッベ数、
である。
【０００９】
この第２の態様のズームレンズ系は、次の条件式（１）を満足することが好ましい。
（１）１．６＜ｆ１／ｆ４＜３．０
但し、
ｆ１：第１レンズ群の焦点距離、
ｆ４：第４レンズ群の焦点距離、
である。
【００１０】
第１、第２の態様のズームレンズ系は、次の条件式（２）を満足することが好ましい。
（２）−８．０＜ｆ３／ｆ２＜−３．０
但し、
ｆ２：第２レンズ群の焦点距離、
ｆ３：第３レンズ群の焦点距離、
である。
【００１１】
第１、第２の態様のズームレンズ系は、次の条件式（３）を満足することが好ましい。
（３）１．４＜ｆ３／ｆ４＜５．０
但し、
ｆ３：第３レンズ群の焦点距離、
ｆ４：第４レンズ群の焦点距離、
である。
【００１２】
本発明のズームレンズ系は、第３の態様では、物体側から順に、正の屈折力の第１レンズ群、負の屈折力の第２レンズ群、正の屈折力の第３レンズ群、及び正の屈折力の第４レンズ群からなり、短焦点距離端から長焦点距離端への変倍に際し、第１レンズ群と第２レンズ群の間隔が増加し、第２レンズ群と第３レンズ群の間隔が減少するように、少なくとも第２レンズ群と第３レンズ群が移動するズームレンズ系において、次の条件式（１）及び（２）を満足することを特徴としている。
（１）１．６＜ｆ１／ｆ４＜３．０
（２）−８．０＜ｆ３／ｆ２＜−３．０
但し、
ｆ１：第１レンズ群の焦点距離、
ｆ２：第２レンズ群の焦点距離、
ｆ３：第３レンズ群の焦点距離、
ｆ４：第４レンズ群の焦点距離、
である。
【００１３】
この第３の態様のズームレンズ系は、次の条件式（３）を満足することが好ましい。
（３）１．４＜ｆ３／ｆ４＜５．０
但し、
ｆ３：第３レンズ群の焦点距離、
ｆ４：第４レンズ群の焦点距離、
である。
【００１４】
本発明のズームレンズ系は、第４の態様では、物体側から順に、正の屈折力の第１レンズ群、負の屈折力の第２レンズ群、正の屈折力の第３レンズ群、及び正の屈折力の第４レンズ群からなり、短焦点距離端から長焦点距離端への変倍に際し、第１レンズ群と第２レンズ群の間隔が増加し、第２レンズ群と第３レンズ群の間隔が減少するように、少なくとも第２レンズ群と第３レンズ群が移動するズームレンズ系において、次の条件式（１）及び（３）を満足することを特徴としている。
（１）１．６＜ｆ１／ｆ４＜３．０
（３）１．４＜ｆ３／ｆ４＜５．０
但し、
ｆ１：第１レンズ群の焦点距離、
ｆ３：第３レンズ群の焦点距離、
ｆ４：第４レンズ群の焦点距離、
である。
【００１５】
上記第１ないし第４のいずれの態様にあっても、第１レンズ群は、物体側から順に、フォーカシング時に不動の正の屈折力の第１Ａレンズ群、及びフォーカシング時に移動するフォーカスレンズ群である正の屈折力の第１Ｂレンズ群で構成することができる。
【００１６】
本発明のズームレンズ系は、上記第１ないし第４のいずれの態様にあっても、次の条件式（４）を満足することが好ましい。
（４）−０．７＜ｆ２／ｆ４＜−０．３５
但し、
ｆ２：第２レンズ群の焦点距離、
ｆ４：第４レンズ群の焦点距離、
である。
【００１７】
上記第１の態様のズームレンズ系は、次の条件式（５）を満足することが好ましい。
（５）８０＜νｄ４ｐ
但し、
νｄ４ｐ：第４レンズ群中のいずれかの正レンズのｄ線に対するアッベ数、
である。
【００１８】
上記第１の態様のズームレンズ系は、次の条件式（６）を満足することが好ましい。
（６）１．５６＜Ｎｄ４ｐ
但し、
Ｎｄ４ｐ：第４レンズ群中の最も物体側に位置する正レンズのｄ線に対する屈折率、
である。
【００１９】
上記第１の態様のズームレンズ系は、次の条件式（７）を満足することが好ましい。
（７）１．７０＜Ｎｄ４ｎ
但し、
Ｎｄ４ｎ：第４レンズ群中の最も像側に位置する負メニスカスレンズのｄ線に対する屈折率、
である。
【００２０】
上記第１ないし第４のいずれの態様にあっても、短焦点距離端から長焦点距離端への変倍に際し、第１レンズ群と第４レンズ群を像面に対して固定することができる。
【００２１】
本発明の電子撮像装置は、上述したいずれかのズームレンズ系と、このズームレンズ系によって形成される像を電気的信号に変換する撮像素子とを備えている。
【発明の効果】
【００２２】
本発明によれば、レンズ枚数が少なく軽量であり、像面湾曲、非点収差、歪曲収差、球面収差、コマ収差などの諸収差を良好に補正して優れた光学性能を達成できるズームレンズ系及びこれを備えた電子撮像装置が得られる。
【図面の簡単な説明】
【００２３】
【図１】本発明によるズームレンズ系の数値実施例１の長焦点距離端における無限遠合焦時のレンズ構成図である。
【図２】図１の構成における諸収差図である。
【図３】図１の構成における横収差図である。
【図４】同数値実施例１の短焦点距離端における無限遠合焦時のレンズ構成図である。
【図５】図４の構成における諸収差図である。
【図６】図４の構成における横収差図である。
【図７】本発明によるズームレンズ系の数値実施例２の長焦点距離端における無限遠合焦時のレンズ構成図である。
【図８】図７の構成における諸収差図である。
【図９】図７の構成における横収差図である。
【図１０】同数値実施例２の短焦点距離端における無限遠合焦時のレンズ構成図である。
【図１１】図１０の構成における諸収差図である。
【図１２】図１０の構成における横収差図である。
【図１３】本発明によるズームレンズ系の数値実施例３の長焦点距離端における無限遠合焦時のレンズ構成図である。
【図１４】図１３の構成における諸収差図である。
【図１５】図１３の構成における横収差図である。
【図１６】同数値実施例３の短焦点距離端における無限遠合焦時のレンズ構成図である。
【図１７】図１６の構成における諸収差図である。
【図１８】図１６の構成における横収差図である。
【図１９】本発明によるズームレンズ系の数値実施例４の長焦点距離端における無限遠合焦時のレンズ構成図である。
【図２０】図１９の構成における諸収差図である。
【図２１】図１９の構成における横収差図である。
【図２２】同数値実施例４の短焦点距離端における無限遠合焦時のレンズ構成図である。
【図２３】図２２の構成における諸収差図である。
【図２４】図２２の構成における横収差図である。
【図２５】本発明によるズームレンズ系の数値実施例５の長焦点距離端における無限遠合焦時のレンズ構成図である。
【図２６】図２５の構成における諸収差図である。
【図２７】図２５の構成における横収差図である。
【図２８】同数値実施例５の短焦点距離端における無限遠合焦時のレンズ構成図である。
【図２９】図２８の構成における諸収差図である。
【図３０】図２８の構成における横収差図である。
【図３１】本発明によるズームレンズ系の数値実施例６の長焦点距離端における無限遠合焦時のレンズ構成図である。
【図３２】図３１の構成における諸収差図である。
【図３３】図３１の構成における横収差図である。
【図３４】同数値実施例６の短焦点距離端における無限遠合焦時のレンズ構成図である。
【図３５】図３４の構成における諸収差図である。
【図３６】図３４の構成における横収差図である。
【図３７】本発明によるズームレンズ系の数値実施例７の長焦点距離端における無限遠合焦時のレンズ構成図である。
【図３８】図３７の構成における諸収差図である。
【図３９】図３７の構成における横収差図である。
【図４０】同数値実施例７の短焦点距離端における無限遠合焦時のレンズ構成図である。
【図４１】図４０の構成における諸収差図である。
【図４２】図４０の構成における横収差図である。
【図４３】本発明によるズームレンズ系のズーム軌跡を示す簡易移動図である。
【発明を実施するための形態】
【００２４】
本実施形態のズームレンズ系は、図４３の簡易移動図に示すように、物体側から順に、正の屈折力の第１レンズ群Ｇ１、負の屈折力の第２レンズ群Ｇ２、正の屈折力の第３レンズ群Ｇ３、及び正の屈折力の第４レンズ群Ｇ４からなる。第１レンズ群Ｇ１は、物体側から順に、正の屈折力の第１Ａレンズ群Ｇ１Ａ、及び正の屈折力の第１Ｂレンズ群Ｇ１Ｂからなる。第２レンズ群Ｇ２と第３レンズ群Ｇ３の間に位置する絞りＳは、第３レンズ群Ｇ３と一体に移動する。Ｉは像面である。
【００２５】
このズームレンズ系は、短焦点距離端（Ｗ）に対して第１レンズ群Ｇ１と第２レンズ群Ｇ２の間隔が増加し、第２レンズ群Ｇ２と第３レンズ群Ｇ３の間隔が減少し、第３レンズ群Ｇ３と第４レンズ群Ｇ４の間隔が減少するように移動することで、長焦点距離端（Ｔ）に変倍（ズーミング）する。短焦点距離端（Ｗ）から長焦点距離端（Ｔ）への変倍（ズーミング）に際し、第１Ａレンズ群Ｇ１Ａと第１Ｂレンズ群Ｇ１Ｂの間隔は不変である。
【００２６】
より具体的には、第１レンズ群Ｇ１（第１Ａレンズ群Ｇ１Ａ、第１Ｂレンズ群Ｇ１Ｂ）と第４レンズ群Ｇ４は、短焦点距離端（Ｗ）から長焦点距離端（Ｔ）への変倍（ズーミング）に際し、像面Ｉに対して固定されている（光軸方向に移動しない）。但し、第１レンズ群Ｇ１（第１Ａレンズ群Ｇ１Ａ、第１Ｂレンズ群Ｇ１Ｂ）と第４レンズ群Ｇ４が短焦点距離端（Ｗ）から長焦点距離端（Ｔ）への変倍（ズーミング）に際して光軸方向に移動する態様も可能である。
第２レンズ群Ｇ２は、短焦点距離端（Ｗ）から長焦点距離端（Ｔ）への変倍（ズーミング）に際し、単調に像側に移動する。
第３レンズ群Ｇ３は、短焦点距離端（Ｗ）から長焦点距離端（Ｔ）への変倍（ズーミング）に際し、一旦像側に移動してから若干量だけ物体側に戻る（結果として短焦点距離端（Ｗ）に対して像側に移動する）場合と、単調に像側に移動する場合があり得る。
【００２７】
第１Ａレンズ群Ｇ１Ａはフォーカシング時に不動であり、第１Ｂレンズ群Ｇ１Ｂはフォーカシング時に移動するフォーカスレンズ群である。無限遠物体から有限距離物体へ合焦させるに際し、第１Ｂレンズ群Ｇ１Ｂが物体側に移動する。
【００２８】
第１レンズ群Ｇ１の第１Ａレンズ群Ｇ１Ａは、全数値実施例１−７を通じて、物体側から順に位置する負レンズ１１と正レンズ１２の接合レンズからなる。負レンズ１１は、ｄ線に対するアッベ数が２２．８の高分散な硝材（例えば株式会社オハラ製のＯＨＡＲＡ  Ｓ−ＮＰＨ１）からなる。
第１レンズ群Ｇ１の第１Ｂレンズ群Ｇ１Ｂは、全数値実施例１−７を通じて、正単レンズ１３からなる。
【００２９】
第２レンズ群Ｇ２は、全数値実施例１−７を通じて、物体側から順に、負レンズ２１、物体側から順に位置する負レンズ２２と正レンズ２３の接合レンズ、及び負レンズ２４からなる。
【００３０】
第３レンズ群Ｇ３は、全数値実施例１−７を通じて、物体側から順に位置する正レンズ３１と負レンズ３２の接合レンズからなる。
【００３１】
第４レンズ群Ｇ４は、全数値実施例１−７を通じて、物体側から順に、正レンズ（物体側に凸面を向けた正レンズ）４１、物体側から順に位置する正レンズ（物体側に凸面を向けた正レンズ）４２と負レンズ（像側に凹面を向けた負レンズ）４３の接合レンズ、正レンズ（両凸正レンズ）４４、及び負レンズ（像側に凸の負メニスカスレンズ）４５からなる。
【００３２】
本実施形態のズームレンズ系は、第１レンズ群Ｇ１と第４レンズ群Ｇ４を短焦点距離端から長焦点距離端への変倍に際して像面Ｉに対して固定するとともに、主に第２レンズ群Ｇ２で変倍を行い、第３レンズ群Ｇ３で変倍に伴う像面変動を補償している。また、第１レンズ群Ｇ１を第１Ａレンズ群Ｇ１Ａと第１Ｂレンズ群Ｇ１Ｂに切り分けて、第１Ａレンズ群Ｇ１Ａをフォーカシング時に不動とし、第１Ｂレンズ群Ｇ１Ｂをフォーカシング時に移動するフォーカスレンズ群としている。これにより、ズーミング及びフォーカシングの際にレンズ全長が変わらず、Ｆナンバーの変動が少ないズームレンズ系を得ることができる。
【００３３】
本実施形態のズームレンズ系は、第４レンズ群Ｇ４を、物体側から順に、正レンズ４１、物体側から順に位置する正レンズ４２と負レンズ４３の接合レンズ、正レンズ４４、及び負レンズ４５の５枚のレンズで構成することで、第４レンズ群Ｇ４ひいてはレンズ全系のレンズ枚数を少なくして軽量化を達成している。
【００３４】
また本実施形態のズームレンズ系は、第４レンズ群Ｇ４が主たる結像作用を持つことから、第４レンズ群Ｇ４で球面収差、コマ収差、像面湾曲、非点収差などの諸収差を良好に補正することが、優れた光学性能を達成するための重要な技術課題である。
そこで第４レンズ群Ｇ４の前半（物体側寄り）に、正レンズ（物体側に凸面を向けた正レンズ）４１、及び物体側から順に位置する正レンズ（物体側に凸面を向けた正レンズ）４２と負レンズ（像側に凹面を向けた負レンズ）４３の接合レンズからなる正正負の所謂ガウスタイプの前半の構成を配置することで、球面収差、コマ収差を良好に補正している。また第４レンズ群Ｇ４の後半（像側寄り）に、正レンズ（両凸正レンズ）４４、及び負レンズ（像側に凸の負メニスカスレンズ）４５を配置することで、像面湾曲、非点収差を良好に補正している。
【００３５】
さらに本実施形態のズームレンズ系は、第１レンズ群Ｇ１ないし第４レンズ群Ｇ４のパワーバランスを適切に設定することで、像面湾曲、非点収差、歪曲収差、球面収差、コマ収差などの諸収差を良好に補正して優れた光学性能を達成することに成功している。
【００３６】
条件式（１）は、第１レンズ群Ｇ１の焦点距離と、第４レンズ群Ｇ４の焦点距離との比を規定している。条件式（１）を満足することで、球面収差、コマ収差、歪曲収差の発生を抑えることができる。
条件式（１）の上限を超えると、第４レンズ群Ｇ４のパワーが強くなりすぎて、全焦点距離域（ズーム全域）で球面収差、コマ収差が発生しやすくなる。
条件式（１）の下限を超えると、第１レンズ群Ｇ１のパワーが強くなりすぎて、長焦点距離端において歪曲収差が大きく発生する。
【００３７】
条件式（２）は、第２レンズ群Ｇ２の焦点距離と、第３レンズ群Ｇ３の焦点距離との比を規定している。条件式（２）を満足することで、変倍時の像面湾曲、コマ収差、非点収差の変動を抑えることができる。
条件式（２）の上限を超えると、第３レンズ群Ｇ３のパワーが強くなりすぎて、変倍時のコマ収差の変動が大きくなる。
条件式（２）の下限を超えると、第２レンズ群Ｇ２のパワーが強くなりすぎて、変倍時の像面湾曲、非点収差の変動が大きくなる。
【００３８】
条件式（３）は、第３レンズ群Ｇ３の焦点距離と、第４レンズ群Ｇ４の焦点距離との比を規定している。条件式（３）を満足することで、球面収差、コマ収差の発生、及び変倍時のコマ収差の変動を抑えることができる。
条件式（３）の上限を超えると、第４レンズ群Ｇ４のパワーが強くなりすぎて、全焦点距離域（ズーム全域）で球面収差、コマ収差が発生しやすくなる。
条件式（３）の下限を超えると、第３レンズ群Ｇ３のパワーが強くなりすぎて、変倍時のコマ収差の変動が大きくなる。
【００３９】
条件式（４）は、第２レンズ群Ｇ２の焦点距離と、第４レンズ群Ｇ４の焦点距離との比を規定している。条件式（４）を満足することで、歪曲収差、球面収差、コマ収差の発生を抑えることができる。
条件式（４）の上限を超えると、第４レンズ群Ｇ４のパワーが弱くなりすぎて、長焦点距離端において歪曲収差が大きく発生する。
条件式（４）の下限を超えると、第４レンズ群Ｇ４のパワーが強くなりすぎて、全焦点距離域（ズーム全域）で球面収差、コマ収差が発生しやすくなる。
【００４０】
条件式（５）は、第４レンズ群Ｇ４中の正レンズ（４１、４２、４４）のうちのいずれかが満足すべきｄ線に対するアッベ数の値を規定している。第４レンズ群Ｇ４中のいずれかの正レンズを、条件式（５）を満足する低分散な材料からなるレンズ（例えばＥＤレンズ）とすることで、軸上色収差を良好に補正することができる。
条件式（５）の下限を超えると、軸上色収差を良好に補正することができなくなる。
【００４１】
条件式（６）は、第４レンズ群Ｇ４中の最も物体側に位置する正レンズ４１のｄ線に対する屈折率を規定している。条件式（６）を満足することで、球面収差、コマ収差を良好に補正することができる。
条件式（６）の下限を超えると、球面収差、コマ収差を良好に補正することができなくなる。
【００４２】
条件式（７）は、第４レンズ群Ｇ４中の最も像側に位置する負メニスカスレンズ４５のｄ線に対する屈折率を規定している。条件式（７）を満足することで、像面湾曲、非点収差を良好に補正することができる。
条件式（７）の下限を超えると、像面湾曲、非点収差を良好に補正することができなくなる。
【００４３】
上述したように、第１レンズ群Ｇ１は、全数値実施例１−７を通じて、物体側から順に位置する負レンズ１１と正レンズ１２の接合レンズ（第１Ａレンズ群Ｇ１Ａ）、及び正単レンズ１３（第１Ｂレンズ群Ｇ１Ｂ）からなる。しかし、第１レンズ群Ｇ１にさらに負レンズを追加して、第１レンズ群Ｇ１に２枚以上の負レンズを含ませてもよい。
この構成において条件式（８）は、第１レンズ群Ｇ１中の最も物体側に位置する負レンズ（数値実施例１−７では負レンズ１１）のｄ線に対するアッベ数を規定している。条件式（８）を満足することで、特に長焦点距離端において、軸上色収差や倍率色収差などの諸収差を良好に補正して優れた光学性能を得ることができる。
条件式（８）の上限を超えると、特に長焦点距離端において、軸上色収差や倍率色収差などの諸収差の補正が困難となり、光学性能が劣化してしまう。
【実施例】
【００４４】
次に具体的な数値実施例１−７を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。長さの単位は[mm]である。全数値実施例１−７を通じて、非球面レンズは用いていない。
【００４５】
［数値実施例１］
図１〜図６と表１〜表３は、本発明によるズームレンズ系の数値実施例１を示している。図１は長焦点距離端における無限遠合焦時のレンズ構成図、図２はその諸収差図、図３はその横収差図であり、図４は短焦点距離端における無限遠合焦時のレンズ構成図、図５はその諸収差図、図６はその横収差図である。表１は面データ、表２は各種データ、表３はレンズ群データである。
【００４６】
本数値実施例１のズームレンズ系は、物体側から順に、正の屈折力の第１レンズ群Ｇ１、負の屈折力の第２レンズ群Ｇ２、正の屈折力の第３レンズ群Ｇ３、及び正の屈折力の第４レンズ群Ｇ４からなる。第２レンズ群Ｇ２と第３レンズ群Ｇ３の間に位置する絞りＳは、第３レンズ群Ｇ３と一体に移動する。第４レンズ群Ｇ４と像面Ｉとの間には、光学フィルタＯＰが配置されている。
【００４７】
第１レンズ群Ｇ１は、物体側から順に、正の屈折力の第１Ａレンズ群Ｇ１Ａ、及び正の屈折力の第１Ｂレンズ群Ｇ１Ｂからなる。第１Ａレンズ群Ｇ１Ａはフォーカシング時に不動であり、第１Ｂレンズ群Ｇ１Ｂはフォーカシング時に移動するフォーカスレンズ群である。無限遠物体から有限距離物体へ合焦させるに際し、第１Ｂレンズ群Ｇ１Ｂが物体側に移動する。
第１Ａレンズ群Ｇ１Ａは、物体側から順に位置する物体側に凸の負メニスカスレンズ１１と物体側に凸の正メニスカスレンズ１２の接合レンズからなる。負メニスカスレンズ１１は、ｄ線に対するアッベ数が２２．８の高分散な硝材（例えば株式会社オハラ製のＯＨＡＲＡ  Ｓ−ＮＰＨ１）からなる。
第１Ｂレンズ群Ｇ１Ｂは、物体側に凸の正メニスカス単レンズ１３からなる。
【００４８】
第２レンズ群Ｇ２は、物体側から順に、両凹負レンズ２１、物体側から順に位置する物体側に凸の負メニスカスレンズ２２と物体側に凸の正メニスカスレンズ２３の接合レンズ、及び両凹負レンズ２４からなる。
【００４９】
第３レンズ群Ｇ３は、物体側から順に位置する両凸正レンズ３１と像側に凸の負メニスカスレンズ３２の接合レンズからなる。
【００５０】
第４レンズ群Ｇ４は、物体側から順に、物体側に凸の正メニスカスレンズ（物体側に凸面を向けた正レンズ）４１、物体側から順に位置する物体側に凸の正メニスカスレンズ（物体側に凸面を向けた正レンズ）４２と物体側に凸の負メニスカスレンズ（像側に凹面を向けた負レンズ）４３の接合レンズ、両凸正レンズ４４、及び像側に凸の負メニスカスレンズ４５からなる。
【００５１】
（表１）
面データ
面番号          R          d          N(d)        ν(d)
1            31.668      1.20       1.80810       22.8
2            22.349      5.00       1.49700       81.6
3           918.122      3.54
4            21.783      3.85       1.49700       81.6
5           205.847       d5
6          -252.348      0.90       1.81600       46.6
7            13.190      0.75
8           215.787      1.00       1.77250       49.6
9             7.859      2.45       1.84666       23.8
10          119.798      0.90
11          -15.177      0.90       1.81600       46.6
12          268.441       d12
13絞           ∞        1.00
14           41.749      2.60       1.62041       60.3
15           -8.616      0.90       1.85026       32.3
16          -18.303       d16
17           11.173      2.10       1.61800       63.4
18           20.035      1.10
19            9.392      3.30       1.43875       95.0
20           49.987      1.00       1.80100       35.0
21            8.185      0.50
22           13.280      2.75       1.83400       37.2
23          -22.894      1.85
24           -9.118      1.00       1.74077       27.8
25          -21.410      8.65
26             ∞        1.00       1.51633       64.1
27             ∞          -
（表２）
各種データ
ズーム比（変倍比）    2.85
短焦点距離端          中間焦点距離          長焦点距離端
FNO.            2.8                   2.9                   2.9
f             15.45                 26.00                 44.10
W              17.5                  10.2                   5.9
Y              4.65                  4.65                  4.65
fB             2.71                  2.71                  2.71
L             67.00                 67.00                 67.00
d5             2.50                  8.47                 12.21
d12            8.85                  6.23                  1.48
d16            4.70                  1.35                  2.36
（表３）
レンズ群データ
群          始面          焦点距離
1              1             33.39
2              6             -7.81
3             14             29.05
4             17             20.61
【００５２】
［数値実施例２］
図７〜図１２と表４〜表６は、本発明によるズームレンズ系の数値実施例２を示している。図７は長焦点距離端における無限遠合焦時のレンズ構成図、図８はその諸収差図、図９はその横収差図であり、図１０は短焦点距離端における無限遠合焦時のレンズ構成図、図１１はその諸収差図、図１２はその横収差図である。表４は面データ、表５は各種データ、表６はレンズ群データである。
【００５３】
この数値実施例２のレンズ構成は、以下の点を除いて、数値実施例１のレンズ構成と同様である。
（１）第２レンズ群Ｇ２の負レンズ２１が像側に凹の平凹負レンズである。
（２）第２レンズ群Ｇ２の負レンズ２２が両凹負レンズである。
【００５４】
（表４）
面データ
面番号          R          d          N(d)        ν(d)
1            32.710      1.20       1.80810       22.8
2            22.977      7.00       1.49700       81.6
3           642.613      3.78
4            24.052      3.90       1.49700       81.6
5           343.630        d5
6              ∞        0.90       1.81600       46.6
7            16.669      0.65
8           -76.672      1.00       1.77250       49.6
9             8.141      2.45       1.84666       23.8
10          151.581      0.75
11          -17.229      0.90       1.81600       46.6
12           64.233       d12
13絞           ∞        1.00
14           79.730      2.50       1.63854       55.4
15          -10.326      0.90       1.91082       35.2
16          -20.877       d16
17           12.140      3.00       1.61800       63.4
18           39.593      1.15
19            9.082      3.50       1.49700       81.6
20           90.187      1.00       1.80100       35.0
21            7.652      0.55
22           13.401      2.80       1.83481       42.7
23          -21.300      0.85
24           -9.404      1.85       1.74077       27.8
25          -21.160      5.00
26             ∞        1.00       1.51633       64.1
27             ∞          -
（表５）
各種データ
ズーム比（変倍比）    2.84
短焦点距離端          中間焦点距離          長焦点距離端
FNO.            2.9                   2.9                   2.9
f             15.45                 26.00                 43.85
W              17.6                  10.2                   5.9
Y              4.65                  4.65                  4.65
fB             7.51                  7.51                  7.51
L             71.35                 71.35                 71.35
d5             2.60                  8.84                 13.04
d12            7.23                  5.69                  1.60
d16            6.38                  1.68                  1.58
（表６）
レンズ群データ
群          始面          焦点距離
1              1             35.86
2              6             -7.87
3             14             39.33
4             17             17.17
【００５５】
［数値実施例３］
図１３〜図１８と表７〜表９は、本発明によるズームレンズ系の数値実施例３を示している。図１３は長焦点距離端における無限遠合焦時のレンズ構成図、図１４はその諸収差図、図１５はその横収差図であり、図１６は短焦点距離端における無限遠合焦時のレンズ構成図、図１７はその諸収差図、図１８はその横収差図である。表７は面データ、表８は各種データ、表９はレンズ群データである。
【００５６】
この数値実施例３のレンズ構成は、以下の点を除いて、数値実施例１のレンズ構成と同様である。
（１）第１レンズ群Ｇ１（第１Ａレンズ群Ｇ１Ａ）の正レンズ１２が両凸正レンズである。
（２）第２レンズ群Ｇ２の負レンズ２２が両凹負レンズである。
（３）第４レンズ群Ｇ４の正レンズ４２が両凸正レンズである。
（４）第４レンズ群Ｇ４の負レンズ４３が両凹負レンズである。
【００５７】
（表７）
面データ
面番号          R          d          N(d)        ν(d)
1            66.033      1.20       1.80810       22.8
2            37.629      5.30       1.49700       81.6
3          -206.928      4.45
4            23.718      3.90       1.49700       81.6
5           128.916        d5
6           -72.179      0.90       1.81600       46.6
7            26.493      0.50
8           -77.883      1.00       1.77250       49.6
9             9.781      2.45       1.84666       23.8
10          568.348      0.45
11          -31.220      0.90       1.81600       46.6
12           43.320       d12
13絞           ∞        1.00
14           39.879      2.60       1.69680       55.5
15           -9.873      0.90       1.85026       32.3
16          -27.913       d16
17           10.168      6.55       1.62041       60.3
18           46.935      0.75
19           12.674      3.50       1.49700       81.6
20          -11.279      1.00       1.83400       37.2
21            8.211      0.25
22           10.030      2.95       1.83481       42.7
23          -19.100      1.10
24           -8.053      1.00       1.77250       49.6
25          -31.460      5.08
26             ∞        1.00       1.51633       64.1
27             ∞          -
（表８）
各種データ
ズーム比（変倍比）    2.83
短焦点距離端          中間焦点距離          長焦点距離端
FNO.            2.9                   3.0                   3.0
f             15.45                 26.00                 43.70
W              17.5                  10.2                   6.0
Y              4.65                  4.65                  4.65
fB             2.58                  2.58                  2.58
L             71.98                 71.98                 71.98
d5             2.60                 11.94                 17.78
d12            9.21                  6.48                  1.64
d16            8.85                  2.25                  1.25
（表９）
レンズ群データ
群          始面          焦点距離
1              1             43.71
2              6            -10.21
3             14             31.29
4             17             20.95
【００５８】
［数値実施例４］
図１９〜図２４と表１０〜表１２は、本発明によるズームレンズ系の数値実施例４を示している。図１９は長焦点距離端における無限遠合焦時のレンズ構成図、図２０はその諸収差図、図２１はその横収差図であり、図２２は短焦点距離端における無限遠合焦時のレンズ構成図、図２３はその諸収差図、図２４はその横収差図である。表１０は面データ、表１１は各種データ、表１２はレンズ群データである。
【００５９】
この数値実施例４のレンズ構成は、以下の点を除いて、数値実施例１のレンズ構成と同様である。
（１）第２レンズ群Ｇ２の負レンズ２２が両凹負レンズである。
（２）第２レンズ群Ｇ２の正レンズ２３が両凸正レンズである。
（３）第４レンズ群Ｇ４の正レンズ４２が両凸正レンズである。
（４）第４レンズ群Ｇ４の負レンズ４３が両凹負レンズである。
【００６０】
（表１０）
面データ
面番号          R          d          N(d)        ν(d)
1            33.720      1.20       1.80810       22.8
2            24.725      5.05       1.49700       81.6
3           179.826      4.39
4            28.313      3.65       1.49700       81.6
5           444.801        d5
6           -98.737      0.90       1.81600       46.6
7            18.393      1.00
8           -20.217      1.00       1.77250       49.6
9            13.949      2.45       1.84666       23.8
10          -39.218      0.25
11          -37.210      0.90       1.81600       46.6
12          181.034       d12
13絞           ∞        1.00
14          146.637      2.65       1.72916       54.7
15          -11.736      0.90       1.90366       31.3
16          -38.854       d16
17           10.930      6.15       1.64000       60.1
18         1982.179      0.55
19            8.701      3.50       1.43875       95.0
20          -14.272      1.00       1.79952       42.2
21            7.865      0.50
22           13.856      3.75       1.81600       46.6
23          -23.057      0.75
24           -8.568      1.00       1.72916       54.7
25          -19.384      5.00
26             ∞        1.00       1.51633       64.1
27             ∞          -
（表１１）
各種データ
ズーム比（変倍比）    2.87
短焦点距離端          中間焦点距離          長焦点距離端
FNO.            2.9                   2.9                   2.9
f             15.45                 26.00                 44.30
W              17.6                  10.2                   5.9
Y              4.65                  4.65                  4.65
fB             5.64                  5.64                  5.64
L             73.98                 73.98                 73.98
d5             2.50                 10.38                 15.92
d12            8.62                  7.76                  1.37
d16            8.69                  1.66                  2.52
（表１２）
レンズ群データ
群          始面          焦点距離
1              1             41.80
2              6            -10.66
3             14             74.60
4             17             16.79
【００６１】
［数値実施例５］
図２５〜図３０と表１３〜表１５は、本発明によるズームレンズ系の数値実施例５を示している。図２５は長焦点距離端における無限遠合焦時のレンズ構成図、図２６はその諸収差図、図２７はその横収差図であり、図２８は短焦点距離端における無限遠合焦時のレンズ構成図、図２９はその諸収差図、図３０はその横収差図である。表１３は面データ、表１４は各種データ、表１５はレンズ群データである。
【００６２】
この数値実施例５のレンズ構成は、以下の点を除いて、数値実施例１のレンズ構成と同様である。
（１）第２レンズ群Ｇ２の負レンズ２２が両凹負レンズである。
【００６３】
（表１３）
面データ
面番号          R          d          N(d)        ν(d)
1            35.338      1.20       1.80810       22.8
2            24.990      6.40       1.49700       81.6
3           690.628      3.85
4            23.872      3.90       1.49700       81.6
5           262.419        d5
6          -238.384      0.90       1.81600       46.6
7            16.865      0.65
8          -398.851      1.00       1.77250       49.6
9             7.670      2.45       1.84666       23.8
10           93.036      0.65
11          -17.081      0.90       1.81600       46.6
12           54.165       d12
13絞           ∞        1.00
14           53.348      2.60       1.65160       58.5
15           -9.540      0.90       1.90366       31.3
16          -18.782       d16
17           11.929      3.70       1.60300       65.5
18           24.914      0.25
19            9.037      3.50       1.49700       81.6
20           69.302      1.00       1.80610       33.3
21            7.737      0.55
22           13.341      3.10       1.83481       42.7
23          -20.699      1.00
24           -9.383      1.45       1.76200       40.1
25          -21.077      7.00
26             ∞        1.00       1.51633       64.1
27             ∞          -
（表１４）
各種データ
ズーム比（変倍比）    2.85
短焦点距離端          中間焦点距離          長焦点距離端
FNO.            2.9                   3.0                   3.0
f             15.45                 26.00                 44.00
W              17.5                  10.2                   5.9
Y              4.65                  4.65                  4.65
fB             4.90                  4.90                  4.90
L             70.58                 70.58                 70.58
d5             2.60                  9.43                 13.89
d12            7.30                  5.38                  1.57
d16            6.83                  1.92                  1.27
（表１５）
レンズ群データ
群          始面          焦点距離
1              1             36.86
2              6             -7.85
3             14             29.59
4             17             19.00
【００６４】
［数値実施例６］
図３１〜図３６と表１６〜表１８は、本発明によるズームレンズ系の数値実施例６を示している。図３１は長焦点距離端における無限遠合焦時のレンズ構成図、図３２はその諸収差図、図３３はその横収差図であり、図３４は短焦点距離端における無限遠合焦時のレンズ構成図、図３５はその諸収差図、図３６はその横収差図である。表１６は面データ、表１７は各種データ、表１８はレンズ群データである。
【００６５】
この数値実施例６のレンズ構成は、以下の点を除いて、数値実施例１のレンズ構成と同様である。
（１）第２レンズ群Ｇ２の負レンズ２１が像側に凹の平凹負レンズである。
（２）第２レンズ群Ｇ２の負レンズ２２が両凹負レンズである。
（３）第２レンズ群Ｇ２の正レンズ２３が両凸正レンズである。
（４）第４レンズ群Ｇ４の正レンズ４２が両凸正レンズである。
（５）第４レンズ群Ｇ４の負レンズ４３が両凹負レンズである。
【００６６】
（表１６）
面データ
面番号          R          d          N(d)        ν(d)
1            28.808      1.20       1.80810       22.8
2            21.433      6.10       1.49700       81.6
3           279.429      4.42
4            28.951      3.20       1.49700       81.6
5           199.646        d5
6              ∞        0.90       1.81600       46.6
7            17.532      0.70
8           -21.241      1.00       1.77250       49.6
9            10.612      2.45       1.84666       23.8
10         -139.010      0.80
11          -32.989      0.90       1.81600       46.6
12           74.911       d12
13絞           ∞        1.00
14          175.856      2.65       1.76200       40.1
15           -9.259      0.90       1.85026       32.3
16          -37.092       d16
17           10.392      4.35       1.62041       60.3
18          344.176      0.10
19            9.997      3.50       1.49700       81.6
20          -16.204      1.00       1.79952       42.2
21            7.766      0.45
22           12.117      4.55       1.83481       42.7
23          -18.232      0.70
24           -8.477      4.55       1.80518       25.4
25          -22.810      7.43
26             ∞        1.00       1.51633       64.1
27             ∞          -
（表１７）
各種データ
ズーム比（変倍比）    2.88
短焦点距離端          中間焦点距離          長焦点距離端
FNO.            2.9                   3.4                   3.5
f             15.45                 26.00                 44.55
W              17.7                  10.3                   5.9
Y              4.65                  4.65                  4.65
fB             2.74                  2.74                  2.74
L             73.98                 73.98                 73.98
d5             2.50                  9.56                 14.67
d12            5.31                  5.36                  1.40
d16            9.59                  2.49                  1.33
（表１８）
レンズ群データ
群          始面          焦点距離
1              1             39.85
2              6             -8.77
3             14             56.52
4             17             16.10
【００６７】
［数値実施例７］
図３７〜図４２と表１９〜表２１は、本発明によるズームレンズ系の数値実施例７を示している。図３７は長焦点距離端における無限遠合焦時のレンズ構成図、図３８はその諸収差図、図３９はその横収差図であり、図４０は短焦点距離端における無限遠合焦時のレンズ構成図、図４１はその諸収差図、図４２はその横収差図である。表１９は面データ、表２０は各種データ、表２１はレンズ群データである。
【００６８】
この数値実施例７のレンズ構成は、以下の点を除いて、数値実施例１のレンズ構成と同様である。
（１）第１レンズ群Ｇ１（第１Ａレンズ群Ｇ１Ａ）の正レンズ１２が両凸正レンズである。
（２）第２レンズ群Ｇ２の負レンズ２２が両凹負レンズである。
【００６９】
（表１９）
面データ
面番号          R          d          N(d)        ν(d)
1            47.193      1.20       1.80810       22.8
2            30.335      4.30       1.49700       81.6
3          -443.863      3.91
4            23.306      3.90       1.49700       81.6
5           230.761        d5
6           -55.437      0.90       1.81600       46.6
7            17.822      0.70
8         -1676.358      1.00       1.77250       49.6
9             8.220      2.50       1.84666       23.8
10           94.632      0.80
11          -22.977      0.90       1.81600       46.6
12           83.527       d12
13絞           ∞        1.00
14           40.633      2.90       1.69680       55.5
15           -9.045      0.90       1.85026       32.3
16          -21.935       d16
17           12.845      5.50       1.59240       68.3
18           26.655      0.10
19            9.600      3.40       1.49700       81.6
20          159.172      1.00       1.80610       33.3
21            8.174      0.65
22           14.881      2.60       1.83481       42.7
23          -34.835      2.00
24           -9.404      1.00       1.71300       53.9
25          -16.184      7.27
26             ∞        1.00       1.51633       64.1
27             ∞          -
（表２０）
各種データ
ズーム比（変倍比）    2.80
短焦点距離端          中間焦点距離          長焦点距離端
FNO.            2.9                   2.9                   2.9
f             15.45                 26.00                 43.30
W              17.4                  10.2                   6.0
Y              4.65                  4.65                  4.65
fB             2.96                  2.96                  2.96
L             70.81                 70.81                 70.81
d5             2.60                 10.60                 15.36
d12            8.25                  5.80                  1.73
d16            7.57                  2.02                  1.32
（表２１）
レンズ群データ
群          始面          焦点距離
1              1             38.18
2              6             -8.56
3             14             26.11
4             17             23.06
【００７０】
各数値実施例の各条件式に対する値を表２２に示す。
（表２２）
実施例１      実施例２      実施例３      実施例４
条件式（１）      1.62          2.09          2.09          2.49
条件式（２）     -3.72         -5.00         -3.06         -7.00
条件式（３）      1.41          2.29          1.49          4.44
条件式（４）     -0.38         -0.46         -0.49         -0.64
条件式（５）     94.94         81.55         81.55         94.96
条件式（６）   1.61800       1.61800       1.62041       1.64000
条件式（７）   1.74077       1.74077       1.77250       1.72916
条件式（８）     22.76         22.76         22.76         22.76
実施例５      実施例６      実施例７
条件式（１）      1.94          2.48          1.66
条件式（２）     -3.77         -6.44         -3.05
条件式（３）      1.56          3.51          1.13
条件式（４）     -0.41         -0.55         -0.37
条件式（５）     81.55         81.55         81.55
条件式（６）   1.60300       1.62041       1.59240
条件式（７）   1.76200       1.80518       1.71300
条件式（８）     22.76         22.76         22.76
【００７１】
以上の説明および諸収差図から明らかなように、数値実施例１〜数値実施例７は、少ないレンズ枚数にもかかわらず諸収差が比較的よく補正されている。
【符号の説明】
【００７２】
Ｇ１  正の屈折力の第１レンズ群
Ｇ１Ａ  正の屈折力の第１Ａレンズ群
１１  負レンズ
１２  正レンズ
Ｇ１Ｂ  正の屈折力の第１Ｂレンズ群
１３  正単レンズ
Ｇ２  負の屈折力の第２レンズ群
２１  負レンズ
２２  負レンズ
２３  正レンズ
２４  負レンズ
Ｇ３  正の屈折力の第３レンズ群
３１  正レンズ
３２  負レンズ
Ｇ４  正の屈折力の第４レンズ群
４１  正レンズ（物体側に凸面を向けた正レンズ）
４２  正レンズ（物体側に凸面を向けた正レンズ）
４３  負レンズ（像側に凹面を向けた負レンズ）
４４  正レンズ（両凸正レンズ）
４５  負レンズ（像側に凸の負メニスカスレンズ）
Ｓ  絞り
ＯＰ  光学フィルタ
Ｉ  像面
【図１】
2013210605.tif 000003
【図２】
2013210605.tif 000004
【図３】
2013210605.tif 000005
【図４】
2013210605.tif 000006
【図５】
2013210605.tif 000007
【図６】
2013210605.tif 000008
【図７】
2013210605.tif 000009
【図８】
2013210605.tif 000010
【図９】
2013210605.tif 000011
【図１０】
2013210605.tif 000012
【図１１】
2013210605.tif 000013
【図１２】
2013210605.tif 000014
【図１３】
2013210605.tif 000015
【図１４】
2013210605.tif 000016
【図１５】
2013210605.tif 000017
【図１６】
2013210605.tif 000018
【図１７】
2013210605.tif 000019
【図１８】
2013210605.tif 000020
【図１９】
2013210605.tif 000021
【図２０】
2013210605.tif 000022
【図２１】
2013210605.tif 000023
【図２２】
2013210605.tif 000024
【図２３】
2013210605.tif 000025
【図２４】
2013210605.tif 000026
【図２５】
2013210605.tif 000027
【図２６】
2013210605.tif 000028
【図２７】
2013210605.tif 000029
【図２８】
2013210605.tif 000030
【図２９】
2013210605.tif 000031
【図３０】
2013210605.tif 000032
【図３１】
2013210605.tif 000033
【図３２】
2013210605.tif 000034
【図３３】
2013210605.tif 000035
【図３４】
2013210605.tif 000036
【図３５】
2013210605.tif 000037
【図３６】
2013210605.tif 000038
【図３７】
2013210605.tif 000039
【図３８】
2013210605.tif 000040
【図３９】
2013210605.tif 000041
【図４０】
2013210605.tif 000042
【図４１】
2013210605.tif 000043
【図４２】
2013210605.tif 000044
【図４３】
2013210605.tif 000045